(57)【要約】【課題】ルーバー部材の取付作業性を向上させるとともに、外観を向上できる照明器具を提供する。【解決手段】器具本体２０内において、ＬＥＤ光源３３およびＬＥＤ光源３３を覆うカバー３４を有する灯具本体３２の前方に、ルーバー部材３６を取り付ける。この際、ルーバー部材３６を構成する一対の側板３８の上部である側板上部３８１が、灯具本体３２の外幅寸法Ｂ１と同等の距離Ｄ１で対向して設けられているので、器具本体２０の内幅寸法Ｂ２に比して狭くなっている。このため、取付作業性が向上する。また、ルーバー部材３６の側板３８の下部である側板下部３８２が、器具本体２０の内幅寸法Ｂ２と同等の距離Ｄ２で対向して設けられているので、器具本体２０内の電線や内蔵物を覆い隠すことができる。このため、外観が向上する。さらに、側板３８において側板上部３８１と側板下部３８２との間に設けた側板傾斜部３８３が、灯具本体３２からの光を下方に反射するので、器具効率が向上する。【選択図】図２
2013258083.tif 000002
【特許請求の範囲】
【請求項１】
天井に設けられた取付穴に取り付けられる器具本体と、
前記器具本体内部に収容される灯具本体と、を有し、
前記灯具本体は、
ＬＥＤ光源および当該ＬＥＤ光源を覆うカバーを有するＬＥＤユニットと、
前記ＬＥＤユニットの前方に取り付けられるルーバー部材と、を有し、
前記ルーバー部材は、
一対の対向する側板と、
前記側板間に設けられたルーバー板と、を有し、
前記一対の側板が、
前記ＬＥＤユニットの外幅寸法と同等の距離で対向する側板上部と、
前記器具本体の内幅寸法と同等の距離で対向する側板下部と、
前記側板上部と前記側板下部との間に設けられた側板傾斜部と、を有する照明器具。
【発明の詳細な説明】
【技術分野】
【０００１】
本発明は、光源の前方にルーバー板が設けられた照明器具に関するものである。
【背景技術】
【０００２】
従来より、光源の前方にルーバー板を設けて、内部が見えないようにした照明器具が知られている（例えば、特許文献１参照）。
図４に示すように、特許文献１に記載の照明器具１００では、下方に開口した箱形の器具本体１０１を有しており、端面部１０２には光源である蛍光ランプ（図示省略）を取り付けるソケット１０３を有する。
器具本体１０１の内部には、反射板１０４が収容される。反射板１０４の両端には、反射板端板１０５が取り付けられる。
【０００３】
光源の前方には制光体１０６が設けられる。制光体１０６は、矩形の枠体１０７に、複数枚のバッフル片１０８を、枠体１０７の長手方向に所定間隔で、枠体１０７の幅方向に複数枚取り付けて構成される。制光体１０６は、器具本体１０１の開口に取り付けられる。
これにより、器具本体１０１の開口から、ソケット１０３が見えないようにして、外観を向上させている。
【先行技術文献】
【特許文献】
【０００４】
【特許文献１】特開平４−３３７２０５号公報（第２図）
【発明の概要】
【発明が解決しようとする課題】
【０００５】
ところで、複数枚のルーバー板（バッフル片）を有するルーバー部材（制光体）を器具本体の開口から挿嵌して取り付ける際に、ルーバー部材の外形寸法を、開口の内側寸法より小さくすれば、取付作業性が向上する。
しかしながら、この場合には、ルーバー部材と器具本体との間に隙間が生じて、器具本体内部が見えるおそれがあり、外観が悪くなるという問題がある。
【０００６】
本発明は、従来の問題を解決するためになされたもので、ルーバー部材の取付作業性を向上させるとともに、外観を向上できる照明器具を提供することを目的とする。
【課題を解決するための手段】
【０００７】
本発明の照明器具は、天井に設けられた取付穴に取り付けられる器具本体と、前記器具本体内部に収容される灯具本体と、を有し、前記灯具本体は、ＬＥＤ光源および当該ＬＥＤ光源を覆うカバーを有するＬＥＤユニットと、前記ＬＥＤユニットの前方に取り付けられるルーバー部材と、を有し、前記ルーバー部材は、一対の対向する側板と、前記側板間に設けられたルーバー板と、を有し、前記一対の側板が、前記ＬＥＤユニットの外幅寸法と同等の距離で対向する側板上部と、前記器具本体の内幅寸法と同等の距離で対向する側板下部と、前記側板上部と前記側板下部との間に設けられた側板傾斜部と、を有するものである。
【発明の効果】
【０００８】
本発明は、器具本体内に、ＬＥＤユニットおよびルーバー部材を有する灯具本体を取り付ける。この際、ルーバー部材の側板上部が、ＬＥＤユニットの外幅寸法と同等の距離で対向して設けられているので、器具本体の内側寸法に比して狭くなっており、取付作業性が向上する。また、ルーバー部材の側板下部が、器具本体の内幅寸法と同等の距離で対向して設けられているので、器具本体内の電線や内蔵物を覆い隠すことができ、外観を向上させることができるという効果を有する照明器具を提供できる。
【図面の簡単な説明】
【０００９】
【図１】本発明に係る実施形態の照明器具の分解斜視図
【図２】図１中ＩＩ−ＩＩ位置の断面図
【図３】（Ａ）は図２中ＩＩＩ方向から見た底面図であり、（Ｂ）は（Ａ）中Ｂ−Ｂ位置の断面図
【図４】従来の照明器具の分解斜視図
【発明を実施するための形態】
【００１０】
以下、本発明に係る実施形態の照明器具について、図面を用いて説明する。
図１に示すように、本発明に係る実施形態の照明器具１０は、天井１１に設けられている取付穴１２に取り付けて、下方を照明するのに用いることができる。
照明器具１０は、下方に開口する矩形箱状の器具本体２０と、器具本体２０の内部に収容される灯具本体３０を有する。
【００１１】
図１および図２に示すように、器具本体２０の下端部には、器具本体２０を天井１１の取付穴１２に取り付けた際に、天井１１の下面に当接して下方に露出する枠部２６が設けられている。
器具本体２０の天板２１には長手方向の両端部に吊金具２２が設けられており、天井１１の取付穴１２に設けられている取付ボルト１３に吊金具２２を取り付けることにより、器具本体２０を天井１１に取り付ける。
器具本体２０の天板２１の上面には、電源装置２３が取り付けられており、ブロックカバー２７で覆われている。
【００１２】
電源装置２３は、長手方向の一端部に電源用端子台２３１を有しており、取付穴１２に配線されている電源線１４に接続される。また、電源装置２３は、長手方向他端部に調光信号用端子台２３２を有しており、取付穴１２に配線されている調光信号線１５に接続される。
器具本体２０には器具側コネクタ２４が設けられており、灯具本体３０に設けられている灯具側コネクタ３１と接続される。器具本体２０の長手方向両端部には落下防止ワイヤ２５が設けられており、灯具本体３０に取り付けられる。
【００１３】
図２に示すように、灯具本体３０は、ＬＥＤユニット３２およびルーバー部材３６を有する。
ＬＥＤユニット３２は、光源であるＬＥＤ（ＬＥＤ光源）３３およびＬＥＤ３３を覆う透光性のカバー３４を有する。ＬＥＤユニット３２は、下方に開口した断面コ字状の取付板３５の下面に取り付けられ、取付板３５を介して器具本体２０の内部に取り付けられる。
ＬＥＤユニット３２の前方（図２において下方）には、ルーバー部材３６が取り付けられる。ルーバー部材３６は、カバー３４の前方に設けられる複数枚のルーバー板３７と、ルーバー板３７が下端に取り付けられる左右一対の側板３８、３８を有する。
【００１４】
各側板３８は、器具本体２０の天板２１側（上側）の側板上部３８１、器具本体２０の開口側（下側）の側板下部３８２、側板上部３８１と側板下部３８２との間に設けられる側板傾斜部３８３を有する。
左右の側板３８、３８の側板上部３８１、３８１は、灯具本体３０の外幅寸法Ｂ１と同等の距離Ｄ１で対向する。ここで、同等の距離Ｄ１とは、例えば、灯具本体３０の外幅寸法Ｂ１と略同じか、僅かに小さい距離であることを意味する。
【００１５】
左右の側板３８、３８の側板下部３８２、３８２は、器具本体２０の内幅寸法Ｂ２と同等の距離Ｄ２で対向する。ここで、同等の距離Ｄ２とは、例えば、器具本体２０の内幅寸法Ｂ２と略同じか、僅かに小さい距離であることを意味する。
また、側板傾斜部３８３は、側板上部３８１の下端と、側板下部３８２の上端とを接続する。従って、側板傾斜部３８３は、下方に向かって外側へ拡がるように傾斜している。
【００１６】
図３（Ａ）および（Ｂ）に示すように、ルーバー板３７の高さをＨ、ルーバー板３７の間隔をＬとすると、照明器具１０の長手方向における遮光角度θ１は、ｔａｎ−１（Ｈ／Ｌ）で設定される。
従って、ルーバー板３７の高さＨおよびルーバー板３７の間隔Ｌを調整することにより、所望の角度θ１を得ることができる。これにより、角度θ１の範囲では、ＬＥＤユニット３２が直接目に入らないので、グレアを防止できる。
【００１７】
なお、図２に示すように、照明器具１０の幅方向における遮光角度θ２は、カバー３４の表面と器具本体２０の下端すなわち枠部２６の下面内側端２６１とを結ぶ線と、天井１１の下面とのなす角度となる。
従って、器具本体２０に対するＬＥＤユニット３２の上下位置の調整により、遮光角度θ２を調整することができる。
【００１８】
以上、説明した本発明に係る実施形態の照明器具１０によれば、器具本体２０内において、ＬＥＤ３３およびＬＥＤ３３を覆うカバー３４を有するＬＥＤユニット３２の前方に、ルーバー部材３６を取り付ける。
この際、ルーバー部材３６を構成する一対の側板３８の上部である側板上部３８１が、ＬＥＤユニット３２の外幅寸法Ｂ１と同等の距離Ｄ１で対向して設けられているので、器具本体２０の内幅寸法Ｂ２に比して狭くなっている。このため、取付作業性が向上する。
また、ルーバー部材３６の側板３８の下部である側板下部３８２が、器具本体２０の内幅寸法Ｂ２と同等の距離Ｄ２で対向して設けられているので、器具本体２０内の電線や内蔵物を覆い隠すことができる。このため、外観が向上する。
さらに、側板３８において側板上部３８１と側板下部３８２との間に設けた側板傾斜部３８３が、ＬＥＤユニット３２からの光を下方に反射するので、器具効率が向上する。
【００１９】
なお、本発明の照明器具は、前述した実施形態に限定されるものでなく、適宜な変形、改良等が可能である。
【符号の説明】
【００２０】
１０  照明器具
１１  天井
１２  取付穴
２０  器具本体
３０  灯具本体
３２  ＬＥＤユニット
３３  ＬＥＤ（ＬＥＤ光源）
３４  カバー
３６  ルーバー部材
３７  ルーバー板
３８  側板
３８１  側板上部
３８２  側板下部
３８３  側板傾斜部
Ｂ１  灯具本体の外幅寸法
Ｂ２  器具本体の内幅寸法
Ｄ１  灯具本体の外幅寸法と同等の距離
Ｄ２  器具本体の内幅寸法と同等の距離
【図１】
2013258083.tif 000003
【図２】
2013258083.tif 000004
【図３】
2013258083.tif 000005
【図４】
2013258083.tif 000006